(57)【要約】【課題】      新聞等紙メディアを紙で発行する場合に比べて大幅にコストを下げたり、環境負荷を下げたり、今までの紙媒体に比べ、より多くの人がより多くの情報を十分に取捨選択できるようにすること。【解決手段】  インターネットとテレビを媒介し、紙媒体の情報をテレビで見られるようにする機器等により、この課題を解決する。【選択図】    なし【特許請求の範囲】
【請求項１】
紙媒体等（新聞、雑誌、書籍等）をインターネットで電子配信したものをテレビで見るための機器類
【発明の詳細な説明】
【技術分野】
【０００１】  本発明は電子配信に関するものであり、新聞、雑誌、書籍等をインターネットからダウンロードし見る場合にテレビで見られるようにするものである。
【背景技術】
【０００２】  従来からインターネットに接続してパソコンの画面などで様々なメディアを見聞しインタラクティブにやり取りされてきたが、依然紙媒体は電子化が大きくは進んでいなかった。その例として非特許文献１のネット書店のアマゾン等があり、ｅ−ｂｏｏｋも販売はされてきたがそのほとんどは英語版である。また紙媒体のほとんど全ては元の原稿は電子化されておりコンテンツのソースは十分にある。
【非特許文献１】アマゾンｈｔｔｐ：／／ｗｗｗ．ａｍａｚｏｎ．ｃｏ．ｊｐ／ｅｘｅｃ／ｏｂｉｄｏｓ／ｔｇ／ｂｒｏｗｓｅ／−／６３８８８０／２４９−３２６８７２１−２６０９１２６
【発明の開示】
【発明が解決しようとする課題】
【０００３】  音楽やビデオなどは既に電子配信されているにも関わらず最終的に出版される紙媒体情報は電子化が進んでいない状況である。紙媒体情報はポータビリティーはあるが大量には持って出歩けないため不便であった。電子配信できなければ運送や在庫の管理などに多大な労力とお金がかかりエコノミーではない。運送コストや在庫を持つリスクを減らし、かつ新聞等では大画面で見る必要があるが、紙のように薄く、ポータビリティーを持つ大画面の液晶画面等は依然開発段階にありまだ実用化されておらず、実用化しても価格が下がり普及するまでには何年もの歳月がかかると考えられる。また電子配信していないため例えば新聞を使ったスクラップの様なパーソナルなデータベースを作る場合、手間と場所をとることになる。また新聞等は、家に居ながらにして大画面で新聞やその他紙媒体を見られず保存にも適さないという現段階での不都合を解決することを課題とする。
【課題を解決するための手段】
【０００４】  この課題を解決するための請求項１の発明は今まで紙媒体で見聞していた情報をインターネットでダウンロードし家にある大画面のメディア表現装置であるテレビで見られるようにし、かつパソコンと連携して保存、検索、廃棄等の手間とスペースを省くための機器類である。まずインターネットとパソコン環境が整っていて、かつテレビを持っていることが前提になるがパソコンは必ずしも必要ではないがパソコンとインターネット環境は現在多くの家庭で実現されていることである。機器類はまずインターネットからモデムへの先に無線あるいは有線のＬＡＮ（ローカルエリアネットワーク）機器が接続されていてその先にパソコンが接続されていることが重要になる。ここからが発明で、そのインターネットに接続されたＬＡＮとテレビを仲介している機器を新たに提案する事が本発明である。その機器は圧縮され著作権保護された電子配信データを可読データに翻訳し、専用あるいはテレビ等のリモコンに組み込まれた操作子で自由に例えば新聞上の画面の位置や拡大、縮小を行ったりトピックスをデータから取り出し明示したり、新聞を読む際の個々人の癖を理解し一人一人にフィットしたデータの提示の仕方を提供する。更に保存したい場合はパソコンと協同してＬＡＮを通じて連携しパソコンへ新聞のデータを送ったり、また逆に保存したトピックス等をパソコンから読み込んで一覧表示できるようにしたりするシステムを有する機器である。これらのことにより本発明には含まれないが既にあるテキスト読み上げ装置と連携して視覚障害者が新聞を自由に聞けるようにしたり、視覚および聴覚に障害のある者も点字ディスプレイ等で自由に情報を享受できるようになる。またこれも本発明には含まれないがインターネットに接続しているので、新聞の画面の広告やチラシの画面のリンクを通じてダイレクトにウェブサイトにアクセスして情報を得たり、ショッピングを新聞の画面やチラシの画面を通じて行えるようにする。
【発明の効果】
【０００５】本発明により家の中に既にあるテレビやインターネット環境、パソコンを活用でき、新たな端末の購入費用を最小限に抑えることができる。また標準的な大きさの１７インチのパソコン画面では見にくい、サイズの大きな新聞等でも最近普及してきた大画面テレビならストレスなく読むことができる。また電子配信を利用できることから、今まで紙に印刷し、運搬するというコストや、在庫を持たなければいけないというコストから解放され低価格で提供できる。一方顧客は新聞、雑誌、書籍などをローコストで大量に取捨選択できる。また今までは出版、流通のコストの問題で紙媒体では表現しにくかった者でも事業を起こし、発表の場を得ることができ、新たなチャネルの拡大につながる。また、コストが下がることで販売価格が下がり新聞等でも今まではあまり読んでいなかった独居の若年層や今まで一種類しか読まなかった顧客層にも新たな新聞等の販売を促進することができる。また今まで様々な、紙で印刷されてきた媒体から情報をピックアップしパソコンのハードディスクにデータベースを構築することができる。またテレビと電子新聞両方を同時に見たい場合は、電子新聞の方のトピックスを中心にパソコンで見ることもできる。また世界中どこにいてもテレビと本発明の機器類とインターネット環境があれば新聞等の情報を享受できるという効果もある。これにより在外の日本人が詳しい日本国内の新聞等による情報を享受する事もできる。また紙媒体と違って紙を使用しないので環境への負荷を下げることもできる。また発行者は新聞等の過去のバックナンバーや任意のコンテンツを販売したりする事もできる。また本発明には含まれないが新聞等の画面や付随するチラシの画面からリンクを通じてダイレクトに情報にアクセスしたりリンクを通じてショッピングをすることができるようになり、紙媒体では得られなかった価値を付加する事ができ、新聞等の付加価値を上げる事ができることができる。更に本発明には含まれず、別の機器又はソフトウェアも必要になるが、今まで新聞等の紙媒体を享受しにくかった視覚、視聴覚に障害のある者でも今まで紙媒体からは得にくかった主にテキスト情報を存分に大量に取捨選択することができ、顧客、事業者の双方にチャネルの拡大を行うことができる。
【発明を実施するための最良の形態】
【０００６】  本発明はスタンドアローンで、モデムへの接続端子、ＬＡＮへの接続端子、テレビとの接続端子またはそれらの無線接続端子を設けることもできるし、パソコン・テレビ・ＬＡＮ等に組み込む形でも実施できる。また読み込んだ情報を保持しておくためのフラッシュメモリも組み込んでおく必要がある。また、特にテレビに本発明の機器類を組み込む場合はテレビの付加価値をあげることができ、本発明の操作子はテレビのリモコンに組み込むことで相乗効果を生むだろう。しかしパソコンがなくとも健常者の場合インターネット環境と普通のテレビと本発明のスタンドアローン機器類があればデータベースへの保存以外の最小限の機能である「読む、見る」といった行為は享受できる。